(57)【要約】【課題】単純操作により多数のクラッカを確実に鳴らせるなど、操作性，確実性及び信頼性を格段に高めるとともに、面白さや華やかさを飛躍的に高める。【解決手段】半体部材２ｘ，２ｙの外面２ｘｏ，２ｙｏに、一又は二以上のクラッカ（第一クラッカ）Ｃ…を、一対の半体部材２ｘ，２ｙの分割ライン２ｓに沿って取付けるとともに、第一クラッカＣ…の各引紐Ｃｗ…を、閉状態となる一対の半体部材２ｘ，２ｙ間に架け渡し、一対の半体部材２ｘ，２ｙが開く際における当該一対の半体部材２ｘ，２ｙの相対変位により、第一クラッカＣ…の各引紐Ｃｗ…を引張るように構成した。【選択図】図１
2004337205.tif 000002
【特許請求の範囲】
【請求項１】
中空体を二分割した左右一対の半体部材の上端をヒンジにより回動自在に連結し、下側を開閉可能に構成したクス玉において、前記半体部材の外面に、一又は二以上のクラッカ（第一クラッカ）を、前記一対の半体部材の分割ラインに沿って取付けるとともに、前記第一クラッカの各引紐を、閉状態となる前記一対の半体部材間に架け渡し、前記一対の半体部材が開く際における当該一対の半体部材の相対変位により、前記第一クラッカの各引紐を引張るように構成したことを特徴とするクス玉。
【請求項２】
前記半体部材の内部に、当該半体部材の閉状態で支持されるとともに、開く際に支持が解除されて落下する錘を配し、この錘の落下により、引紐が引張られる一又は二以上の第二クラッカを配したことを特徴とする請求項１記載のクス玉。
【請求項３】
前記第二クラッカは、前記第一クラッカに対して種類を異ならせることを特徴とする請求項２記載のクス玉。
【請求項４】
前記半体部材の内面に、この半体部材の閉状態で放出物を収容可能となり、かつ開状態で当該放出物を放出可能な一又は二以上の放出物収容部を設けたことを特徴とする請求項１記載のクス玉。
【請求項５】
前記放出物収容部は、前記半体部材の内面から突出する複数の弾性片の組合わせにより構成することを特徴とする請求項４記載のクス玉。
【発明の詳細な説明】
【０００１】
【発明の属する技術分野】
本発明は、中空体を割り、中から垂幕等を垂れ下げるようにした記念式典等のイベントで使用するクス玉に関する。
【０００２】
【従来の技術】
一般に、中空体を二分割した左右一対の半体部材の上端をヒンジにより回動自在に連結し、下側を開閉可能に構成したクス玉は知られている。
【０００３】
ところで、この種のクス玉は、記念式典等のイベントを華やかに盛り上げることを目的に使用するため、通常、中空体を割り、中から垂幕等を垂れ下げるとともに、一緒に装飾テープや紙吹雪等の飾材を放出させるなど、視覚上の趣向が凝らされている。さらに、このような視覚上の趣向のみならず、聴覚上の趣向、具体的には、クラッカを鳴らすようにしたクス玉も実開平５−３３８００号公報で知られている。
【０００４】
同公報で開示されるクス玉は、クス玉の中にクラッカを収容するとともに、クラッカを爆発させるための引紐を、クス玉を割るための引紐に結び付け、クラッカの引紐とクス玉の引紐を兼用させたものである。
【特許文献１】
実開平５−３３８００号公報
【０００５】
【発明が解決しようとする課題】
しかし、上述した従来のクス玉は、次のような不具合があった。
【０００６】
第一に、クス玉の引紐を引操作する際に、クス玉の引紐以外の操作力、さらには断続的（継続的）な操作力が必要になるため、引操作に違和感を伴い、操作性に難があるとともに、引操作のやり方によりクラッカの鳴るタイミングが異なったり、引操作を途中で止めた場合には、クラッカを鳴らすことができないなど、確実性及び信頼性に難がある。
【０００７】
第二に、クス玉の引紐がクラッカの引紐を兼ねるため、使用するクラッカの数量や鳴らすタイミング等の設定に限界があり、面白さや華やかさを十分に演出できない。
【０００８】
本発明は、このような従来の技術に存在する課題を解決したものであり、単純操作により多数のクラッカを確実に鳴らせるなど、操作性，確実性及び信頼性を格段に高めることができるとともに、面白さや華やかさを飛躍的に高めることができるクス玉の提供を目的とする。
【０００９】
【課題を解決するための手段及び実施の形態】
本発明は、中空体２を二分割した左右一対の半体部材２ｘ，２ｙの上端をヒンジ３により回動自在に連結し、下側を開閉可能に構成したクス玉１を構成するに際して、半体部材２ｘ，２ｙの外面２ｘｏ，２ｙｏに、一又は二以上のクラッカ（第一クラッカ）Ｃ…を、一対の半体部材２ｘ，２ｙの分割ライン２ｓに沿って取付けるとともに、第一クラッカＣ…の各引紐Ｃｗ…を、閉状態となる一対の半体部材２ｘ，２ｙ間に架け渡し、一対の半体部材２ｘ，２ｙが開く際における当該一対の半体部材２ｘ，２ｙの相対変位により、第一クラッカＣ…の各引紐Ｃｗ…を引張るように構成したことを特徴とする。
【００１０】
この場合、好適な実施の形態により、半体部材２ｘ，２ｙの内部には、当該半体部材２ｘ，２ｙの閉状態で支持されるとともに、開く際に支持が解除されて落下する錘１１を配し、この錘１１の落下により、引紐Ｅｗ…が引張られる一又は二以上の第二クラッカＥ…を配することができ、この第二クラッカＥ…は、第一クラッカＣ…に対して種類を異ならせることが望ましい。また、半体部材２ｘ，２ｙの内面２ｘｉ，２ｙｉに、この半体部材２ｘ，２ｙの閉状態で放出物を収容可能となり、かつ開状態で当該放出物を放出可能な一又は二以上の放出物収容部１２ｘ，１２ｙを設けることができ、この放出物収容部１２ｘ（１２ｙも同じ）は、半体部材２ｘの内面２ｘｉから突出する複数の弾性片ｐ…の組合わせにより構成することが望ましい。
【００１１】
【実施例】
次に、本発明に係る好適な実施例を挙げ、図面に基づき詳細に説明する。
【００１２】
まず、本実施例に係るクス玉１の構成について、図１〜図９を参照して説明する。
【００１３】
クス玉１は、図２に示すように、全体を球状に形成した中空体２を二分割した左右一対の半体部材２ｘ，２ｙを有する。この場合、各半体部材２ｘ，２ｙは、それぞれＦＲＰ等の合成樹脂により一体形成する。そして、各半体部材２ｘ，２ｙの上端を、アルミニウム板等を用いた一枚の板材により形成した取付部材２１の上部における両面に、それぞれ丁番部２２ｘ，２２ｙを介して回動自在に取付ける。この丁番部２２ｘ，２２ｙは、ヒンジ３を構成し、各半体部材２ｘ，２ｙは、このヒンジ３を支点として下側を左右に開閉することができる。したがって、閉状態にすれば、図１に示すように、全体が球状になる。
【００１４】
また、各半体部材２ｘ，２ｙの外面２ｘｏ，２ｙｏには、複数の第一クラッカＣ…を、半体部材２ｘ，２ｙの分割ライン２ｓに沿って取付ける。実施例は、図３に示すように、各半体部材２ｘ，２ｙの上端から前後方向にそれぞれ三個ずつ、合計十二個を配列させた例を示す。この場合、各半体部材２ｘ，２ｙには、それぞれ六つの第一クラッカＣ…が配列し、各第一クラッカＣ…は、後端側（引紐Ｃｗ…側）を分割ライン２ｓに臨ませるとともに、各半体部材２ｘ，２ｙの第一クラッカＣ…は交互に配列させる。
【００１５】
図４に、第一クラッカＣの具体的な取付構造を示す。第一クラッカＣを半体部材２ｘ，２ｙに取付けるに際しては、半体部材２ｘに、一対の孔を開け、合成樹脂製の結束バンド２３を通すことにより、第一クラッカＣの中間位置を固定するとともに、第一クラッカＣの後端から導出される引紐Ｃｗ…を、閉状態となる他方の半体部材２ｙ間に架け渡して固定する。この場合、他方の半体部材２ｙには、固定ネジ２４を螺着し、この固定ネジ２４により引紐Ｃｗを固定する。
【００１６】
これにより、一対の半体部材２ｘ，２ｙが開けば、当該一対の半体部材２ｘ，２ｙは、図４に仮想線で示す半体部材２ｘ，２ｙの位置へそれぞれ相対変位するため、第一クラッカＣ…の各引紐Ｃｗ…が引張られることになり、第一クラッカＣ…を鳴らすことができる。しかも、一対の半体部材２ｘ，２ｙは、ヒンジ３を支点に開くため、このヒンジ３から離れた第一クラッカＣ…から順番に鳴ることになる。したがって、各半体部材２ｘ，２ｙは、素材或いは厚さ等の選定により第一クラッカＣ…の各引紐Ｃｗ…を引張ることができる必要な重量を設定し、第一クラッカＣ…を確実に鳴らせるように考慮する。
【００１７】
一方、半体部材２ｘ，２ｙの内部には、当該半体部材２ｘ，２ｙの閉状態で支持されるとともに、開く際に支持が解除されて落下する錘１１を配し、この錘１１の落下により、引紐Ｅｗ…が引張られる二個の第二クラッカＥ…を配する。この場合、第二クラッカＥ…は、第一クラッカＣ…に対して種類を異ならせる。具体的には、より大型のクラッカを使用し、鳴った際の音が大きくかつ迫力のあるものが望ましい。各第二クラッカＥ…は、図５及び図６に示すように、取付部材２１の両面に、それぞれ水平となるように取付ける。第二クラッカＥ…を取付部材２１に取付けるに際しては、取付部材２１に一対の孔を開け、合成樹脂製の結束バンド２５を通すことにより、第二クラッカＥ…の中間位置を固定する。
【００１８】
また、各第二クラッカＥ…の後方には、Ｌ形に形成した一対の操作レバー２６…の中間曲部を軸部２６ａを介して回動自在に取付ける。そして、操作レバー２６…の短片部２６ｓ…の先端に第二クラッカＥ…の引紐Ｅｗ…を止着するとともに、一方の操作レバー２６の長片部２６ｍの先端には、補助紐２７の一端を止着する。他方、補助紐２７の他端には、錘１１を固定する。さらに、錘１１の近傍に位置する補助紐２７の中途には、当該補助紐２７を用いてリング状の掛輪部２７ｒを形成する。一方、半体部材２ｙの上部であって、上端からやや離れた位置には、図３及び図５に示すように、止ピン２８の後端を固定し、この止ピン２８の先端は、他方の半体部材２ｘの周面上に突出させる。これにより、半体部材２ｘ，２ｙを閉状態にした際に、止ピン２８の先端側に、掛輪部２７ｒを引掛けることができる。
【００１９】
他方、取付部材２１の下端には、垂幕３１を吊下げる。この場合、図５及び図６に示すように、垂幕３１の一端側を吊紐３２を介して取付部材２１の下端に取付けるとともに、一対の半体部材２ｘ，２ｙ間に収容する際には、他端側を巻物状に巻き、さらに、長片部２６ｍから導出した補助紐２７を一緒にして、リング状に巻いた一対の細い止紙３３，３４により左右両側を保持する。
【００２０】
一方、図８に示すように、半体部材２ｘ，２ｙの内面２ｘｉ，２ｙｉには、この半体部材２ｘ，２ｙの閉状態で、紙吹雪等の放出物を収容可能となり、かつ開状態で当該放出物を放出可能な一又は二以上の放出物収容部１２ｘ，１２ｙを設ける。この放出物収容部１２ｘ（１２ｙも同じ）は、半体部材２ｘの内面２ｘｉから突出する複数の弾性片、望ましくは表面の摩擦係数が少ない合成樹脂等を利用した複数の弾性片ｐ…の組合わせてカップ状に構成する。この場合、筒形のカップに複数の切込を形成することにより容易に構成できる。これにより、弾性片ｐ…は、図８に仮想線で示すように、放出物収容部１２ｘ…の内側からの荷重により弾性変形し、放出物収容部１２ｘに収容した放出物の放出を、容易かつ確実に行うことができる。
【００２１】
次に、本実施例に係るクス玉１を準備する際の手順について、各図を参照して説明する。
【００２２】
まず、取付部材２１の両面にそれぞれ第二クラッカＥ…を取付けるとともに、第二クラッカＥ…の引紐Ｅｗ…を、図６に示すように、操作レバー２６…の短片部２６ｓ…の先端に止着する。一方、垂幕３１は、巻物状に巻くとともに、長片部２６ｍから導出した補助紐２７を一緒にし、前述した止紙３３，３４により保持する。
【００２３】
この状態で、半体部材２ｘ，２ｙを閉じるとともに、完全に閉じる前に、補助紐２７に設けた掛輪部２７ｒを、ピン２８の先端に引掛け、また、クス玉１を割るための操作紐３６を挟み込む。この場合、操作紐３６は、図９に示すように、破断用紐部３６ｒと、この破断用紐部３６ｒに接続した操作紐本体部３６ｍを有し、破断用紐部３６ｒを一対の半体部材２ｘ，２ｙの下端間に挟み込む。これにより、錘１１は、図６に示すように、一対の半体部材２ｘ，２ｙの閉状態で支持されることになる。さらに、完全に閉じる前に、放出物収容部１２ｘ，１２ｙの中に、紙吹雪等の必要な放出物を収容する。そして、完全に閉じたなら、半体部材２ｘと２ｙの下端における半体部材２ｘと２ｙ間に、一又は二以上の止紙３７…を貼付ける。
【００２４】
一方、閉状態における各半体部材２ｘ，２ｙの略中央には、図２に示すように、左支持紐４１ｐと右支持紐４１ｑの一端をそれぞれ固定するとともに、左支持紐４１ｐと右支持紐４１ｑの他端は、支持バー４２の両端に取付ける。また、支持バー４２は、吊下紐４３を介して、天井或いは専用スタンド等の吊下部位４４に吊り下げる。この場合、専用スタンドを用いれば、使用場所を選ばない利点がある。さらに、支持バー４２の中央位置には、図６に示すようなバネ板をＵ字形に湾曲させて形成したダンパ部材４５の一端側を固定し、このダンパ部材４５の他端と取付部材２１の上端間に中央支持紐４６を架け渡す。この場合、中央支持紐４６の長さは、図２に示すように、半体部材２ｘ，２ｙが開いた際の開角度を決定するため、予め開角度に対応した長さを選定する。
【００２５】
この後、各半体部材２ｘ，２ｙの外面２ｘｏ，２ｙｏに、前述した取付方法により、複数の第一クラッカＣ…を、一対の半体部材２ｘ，２ｙの分割ライン２ｓに沿って取付ける。これにより、一連の準備が完了する。
【００２６】
次に、本実施例に係るクス玉１の操作方法及び動作（機能）について、各図を参照して説明する。
【００２７】
まず、クス玉１を割る際には、操作紐３６を手に持ち、下方へ引張る単純操作を行えばよい。これにより、破断用紐部３６ｒが止紙３７…を破断するため、図１に示すように、一対の半体部材２ｘ，２ｙの下側が上端のヒンジ３を支点として左右に開く。なお、半体部材２ｘ，２ｙの落下時（開時）における衝撃は、ダンパ部４５により緩衝されるとともに、操作紐３６は下方へ落下する
【００２８】
また、半体部材２ｘ，２ｙが開いた直後より、ヒンジ３に対して遠い位置の第一クラッカＣ…から順番に引紐Ｃｗ…が引張られるため、各第一クラッカＣ…が順番に鳴る。さらに、開いた直後には、ピン２８から掛輪部２７ｒが外れるため、錘１１が落下し、垂幕３１に巻いた止紙３３，３４が破断される。この結果、図１に示すように、垂幕３１が開いて垂れ下がるとともに、止紙３３，３４の破断後は、錘１１の落下により、操作レバー２６…の長片部２６ｍ…が下方へ回動変位し、引紐Ｅｗ…が短片部２６ｓ…の変位により引張られるため、第二クラッカＥ…が鳴る。これにより、取付部材２１における各部の状態は、図７に示すようになる。また、各半体部材２ｘ，２ｙが開くことにより、放出物収容部１２ｘ，１２ｙから紙吹雪等の放出物が放出されるとともに、他の飾材、例えば、図１に示すような装飾テープ４７…等も垂れ下がる。
【００２９】
このように、本実施例に係るクス玉１は、半体部材２ｘ，２ｙの外面２ｘｏ，２ｙｏに、複数の第一クラッカＣ…を、一対の半体部材２ｘ，２ｙの分割ライン２ｓに沿って取付け、一対の半体部材２ｘ，２ｙが開く際における当該一対の半体部材２ｘ，２ｙの相対変位により、第一クラッカＣ…の各引紐Ｃｗ…を引張るように構成したため、一連の動作は、操作紐３６を単純操作により引張った後、全て連続して自動で行われる。
【００３０】
特に、本実施例のクス玉１における注目すべき点は、複数の第一クラッカＣ…を順番に連続して鳴らすことができるとともに、最後に、比較的大型の第二クラッカＥ…を鳴らすことができる点にある。即ち、鳴り方のイメージとしては、「パン，パン，パン…，バーン」というような趣向を凝らした鳴り方を実現することができ、しかも、第一クラッカＣ…の突出物は左右に放出され、第二クラッカＥ…の突出物は前方へ放出されるなど、面白さ及び華やかさを飛躍的に高めることができ、記念式典等のイベントを盛り上げることができる。
【００３１】
また、クス玉１の操作紐３６を引操作する際には、第一クラッカＣ…及び第二クラッカＥ…の各引紐Ｃｗ…，Ｅｗ…の引操作が不要なため、単純操作により多数のクラッカＣ…，Ｅ…を確実に鳴らすことができ、操作性，確実性及び信頼性を格段に高めることができる。
【００３２】
以上、実施例について詳細に説明したが、本発明はこのような実施例に限定されるものではなく、細部の構成，形状，素材，数量等において、本発明の要旨を逸脱しない範囲で、任意に変更，追加，削除することができる。例えば、半体部材２ｘ，２ｙに、紙等の軽量素材を使用した場合には、必要な重りを取付けることにより、第一クラッカＣ…の各引紐Ｃｗ…を引張ることが可能な半体部材２ｘ，２ｙの重量を設定できる。また、中空体２は球状に形成した場合を示したが、立方体等の任意の形状により実施できる。さらに、各クラッカＣ…，Ｅ…の数量は任意であり、一個であってもよいし、第二クラッカＥ…は、使用しない場合も本発明に含まれる。
【００３３】
【発明の効果】
このように、本発明に係るクス玉は、半体部材の外面に、一又は二以上の第一クラッカを、一対の半体部材の分割ラインに沿って取付けるとともに、第一クラッカの各引紐を、閉状態となる一対の半体部材間に架け渡し、一対の半体部材が開く際における当該一対の半体部材の相対変位により、第一クラッカの各引紐を引張るように構成したため、次のような顕著な効果を奏する。
【００３４】
（１）  単純操作により多数のクラッカを確実に鳴らすことができ、操作性，確実性及び信頼性を格段に高めることができる。
【００３５】
（２）  多数のクラッカを順番に連続して鳴らすことが可能なため、面白さや華やかさを飛躍的に高めることができる。
【００３６】
（３）  好適な実施の形態により、半体部材の内部に、当該半体部材の閉状態で支持されるとともに、開く際に支持が解除されて落下する錘を配し、この錘の落下により、引紐が引張られる第二クラッカ、望ましくは第一クラッカに対して種類を異ならせた第二クラッカを配して構成すれば、趣向を凝らした鳴り方を実現でき、面白さや華やかさを更に高めることができる。
【００３７】
（４）  好適な実施の形態により、半体部材の内面に、この半体部材の閉状態で放出物を収容可能となり、かつ開状態で当該放出物を放出可能な放出物収容部、望ましくは半体部材の内面から突出する複数の弾性片の組合わせにより構成した放出物収容部を設ければ、放出物収容部に収容した放出物の放出を、容易かつ確実に行うことができる。
【図面の簡単な説明】
【図１】本発明の好適な実施例に係るクス玉の開状態を示す正面図、
【図２】同クス玉の閉状態を示す正面図、
【図３】同クス玉の閉状態を示す平面図、
【図４】同クス玉における第一クラッカの取付状態を示す平面方向から見た構成図、
【図５】同クス玉における第二クラッカの取付状態を示す正面方向から見た内部の構成図、
【図６】同クス玉における第二クラッカの準備状態を示す側面方向から見た内部の構成図、
【図７】同クス玉の第二クラッカを鳴らした後の状態を示す側面方向から見た内部の構成図、
【図８】同クス玉における放出物収容部を示す正面方向から見た内部の構成図、
【図９】同クス玉における操作紐を装着した状態を示す側面図、
【符号の説明】
１      クス玉
２      中空体
２ｘ    半体部材
２ｙ    半体部材
２ｘｏ  半体部材の外面
２ｙｏ  半体部材の外面
２ｘｉ  半体部材の内面
２ｙｉ  半体部材の内面
２ｓ    一対の半体部材の分割ライン
３      ヒンジ
１１    錘
１２ｘ  放出物収容部
１２ｙ  放出物収容部
Ｃ…    第一クラッカ
Ｃｗ…  第一クラッカの引紐
Ｅ…    第二クラッカ
Ｅｗ…  第二クラッカの引紐
ｐ…    弾性片
【図１】
2004337205.tif 000003
【図２】
2004337205.tif 000004
【図３】
2004337205.tif 000005
【図４】
2004337205.tif 000006
【図５】
2004337205.tif 000007
【図６】
2004337205.tif 000008
【図７】
2004337205.tif 000009
【図８】
2004337205.tif 000010
【図９】
2004337205.tif 000011